(57)【要約】【課題】手間を要することなく特定の装置間で近距離無線通信接続可能な近距離無線通信システムを提供すること【解決手段】第１の近距離無線通信装置が同期信号を出力し、当該同期信号に基づくタイミングで第１の近距離無線通信装置が自装置の識別情報を撮像可能な態様で表示し、第２の近距離無線通信装置がそれを撮像して第１の近距離無線通信部を接続先と特定することとする【選択図】図１
2015226248.tif 000002
【特許請求の範囲】
【請求項１】
第１の近距離無線通信部と第２の近距離無線通信部とを備え、
第１の近距離無線通信は、
同期信号を出力する同期信号出力部と、
前記同期信号に基づくタイミングで自装置の識別情報を撮像可能な態様で表示する識別情報表示部と、
第１の近距離無線通信部と、
を備え、
第２の近距離無線通信装置は、
前記同期信号が入力される同期信号入力部と、
前記同期信号に基づくタイミングで前記識別情報表示部に表示される第１の機器の識別情報を撮像する撮像部と、
前記撮像部を介して取得した第１の近距離無線通信装置の識別情報に基づいて第１の近距離無線通信部を接続先と特定する制御部と、
第１の近距離無線通信部と接続可能な第２の近距離無線通信部と、を備える第２の近距離無線通信装置と、
を備える近距離無線通信システム。
【請求項２】
前記識別情報表示部は自装置の識別情報と共に、自装置の識別情報の表示位置を特定する基準情報を表示する請求項１に記載の近距離無線通信システム。
【請求項３】
前記識別情報表示部は１又は複数の発光素子からなる光源部の点灯パターンにより自機の識別情報を表示する請求項１又は請求項２に記載の近距離無線通信システム。
【請求項４】
第１の近距離無線通信装置及び第２の近距離無線通信装置は通信ネットワークを介して接続され、第１の近距離無線通信装置は自装置の識別情報を前記通信ネットワークに送信して応答要求を行い、前記応答要求に対して応答を行った無線通信装置の識別情報が、第２の近距離無線通信装置の識別情報と一致する場合に、第２の近距離無線通信部に対して接続を許可する請求項１〜請求項３のいずれか１項に記載の近距離無線通信システム。
【請求項５】
同期信号を出力する同期信号出力部と、
前記同期信号に基づくタイミングで自装置の識別情報を撮像可能な態様で表示する識別情報表示部と、
他の近距離無線通信装置と通信可能な近距離無線通信部と、
を備える近距離無線通信装置。
【請求項６】
他の近距離無線通信装置から出力された同期信号が入力される同期信号入力部と、
前記同期信号に基づくタイミングで前記他の近距離無線通信装置の識別情報を撮像する撮像部と、
前記撮像部を介して取得した前記他の近距離無線通信装置の識別情報に基づいて前記他の近距離無線通信装置を接続先として特定する制御部と、
前記他の近距離無線通信装置と通信可能な近距離無線通信部と、
を備える近距離無線通信装置。
【発明の詳細な説明】
【技術分野】
【０００１】
本発明は、特定の近距離無線通信装置同士を接続する近距離無線通信システム及びその近距離無線通信装置に関する。
【背景技術】
【０００２】
従来より、電子機器同士を所定の通信プロトコルに基づいて無線接続する、いわゆる近距離無線通信が普及している。代表的な無線通信プロトコルとしてはＢｌｕｅｔｏｏｔｈ（登録商標）が挙げられる。
【０００３】
ところで１の近距離無線通信装置（以下、「装置Ａ」と称する）の近距離無線通信接続可能な範囲内において、近距離無線通信接続可能な複数の他の近距離無線通信装置（以下、夫々「装置Ｂ〜装置Ｄ」と称する）が存在する場合に、装置Ｂと接続するには、装置Ａが有する表示画面上に近距離無線通信接続可能な装置Ｂ〜装置Ｄの一覧を表示し、その中から装置Ｂを選択して接続要求を行う必要がある。しかしながら装置Ａの表示画面上に表示される装置の一覧には各装置の固有の識別情報が表示され、どの識別情報がどの装置のものであるかを特定することは困難である。
【先行技術文献】
【特許文献】
【０００４】
【特許文献１】特開２００４−２７４５２０号公報
【発明の概要】
【発明が解決しようとする課題】
【０００５】
特許文献１には被接続機器が自機の識別情報をコードパターンに変換して表示手段に表示し、これを接続機器が読み取って復元することで被接続機器の識別情報を取得し、近距離無線通信接続を確立することが記載されている。しかしながら特許文献１ではコードパターンが表示手段に表示されるタイミングが不明であり、ユーザ自身がコードパターンの表示を確認した上で、コードパターンの読取処理を指示（所定の操作を実行）しなければならない。
【０００６】
本発明は上述した問題点に鑑み、手間を要することなく特定の装置間で近距離無線通信接続可能な近距離無線通信システム及びその近距離無線通信装置を提供することを目的とする。
【課題を解決するための手段】
【０００７】
上記目的を達成するために本発明の近距離無線通信システムは、第１の近距離無線通信部と第２の近距離無線通信部とを備え、第１の近距離無線通信は、同期信号を出力する同期信号出力部と、前記同期信号に基づくタイミングで自装置の識別情報を撮像可能な態様で表示する識別情報表示部と、第１の近距離無線通信部と、を備え、第２の近距離無線通信装置は、前記同期信号が入力される同期信号入力部と、前記同期信号に基づくタイミングで前記識別情報表示部に表示される第１の機器の識別情報を撮像する撮像部と、前記撮像部を介して取得した第１の近距離無線通信装置の識別情報に基づいて第１の近距離無線通信部を接続先と特定する制御部と、第１の近距離無線通信部と接続可能な第２の近距離無線通信部と、を備える第２の近距離無線通信装置と、を備えることを特徴としている。
【０００８】
また上記構成の近距離無線通信システムにおいて、前記識別情報表示部は自装置の識別情報と共に、自装置の識別情報の表示位置を特定する基準情報を表示することが望ましい。
【０００９】
また上記構成の近距離無線通信システムにおいて、前記識別情報表示部は１又は複数の発光素子からなる光源部の点灯パターンにより自機の識別情報を表示することが望ましい。
【００１０】
また上記構成の近距離無線通信システムにおいて、第１の近距離無線通信装置及び第２の近距離無線通信装置は通信ネットワークを介して接続され、第１の近距離無線通信装置は自装置の識別情報を前記通信ネットワークに送信して応答要求を行い、前記応答要求に対して応答を行った無線通信装置の識別情報が、第２の近距離無線通信装置の識別情報と一致する場合に、第２の近距離無線通信部に対して接続を許可することが望ましい。
【００１１】
上記目的を達成するために本発明の近距離無線通信装置は、同期信号を出力する同期信号出力部と、前記同期信号に基づくタイミングで自装置の識別情報を撮像可能な態様で表示する識別情報表示部と、他の近距離無線通信装置と通信可能な近距離無線通信部と、を備えることを特徴としている。
【００１２】
上記目的を達成するために本発明の近距離無線通信装置は、他の近距離無線通信装置から出力された同期信号が入力される同期信号入力部と、前記同期信号に基づくタイミングで前記他の近距離無線通信装置の識別情報を撮像する撮像部と、前記撮像部を介して取得した前記他の近距離無線通信装置の識別情報に基づいて前記他の近距離無線通信装置を接続先として特定する制御部と、前記他の近距離無線通信装置と通信可能な近距離無線通信部と、を備えることを特徴としている。
【発明の効果】
【００１３】
本発明によれば、一方の近距離無線通信装置から同期信号が出力され、当該同期信号に基づくタイミングで、一方の近距離無線通信装置は自装置の識別情報を撮像可能な態様で表示し、他方の近距離無線通信装置はその識別情報を撮像して取得する。そして取得した識別情報に基づいて、他方の近距離無線通信装置は一方の近距離無線通信装置を接続先として特定する。すなわち、接続先の近距離無線通信装置の識別情報の取得、特定が自動的に実行され、ユーザによる複雑な操作を要することなく、近距離無線通信接続が可能となる。
【図面の簡単な説明】
【００１４】
【図１】近距離無線通信システムの概念図
【図２】第１の近距離無線通信装置の構成を示すブロック図
【図３】第２の近距離無線通信装置の構成を示すブロック図
【図４】ＬＥＤ群の点灯パターン例を示す第１の図
【図５】ＬＥＤ群の点灯パターン例を示す第２の図
【図６】同期信号の波形例を示す図
【図７】近距離無線通信システムにおけるペアリングの流れを示すフローチャート
【図８】接続許可応答処理の他の例を示す第１のフローチャート
【図９】接続許可応答処理の他の例を示す第２のフローチャート
【発明を実施するための形態】
【００１５】
＜第１実施形態＞
以下に本発明の近距離無線通信システム及び近距離無線通信装置について図面を参照して説明する。なお、本実施形態及び以降の実施形態は、本発明の技術的思想を具体化するために近距離無線通信システム及び近距離無線通信装置の一例を示すものであって、本発明をこれら近距離無線通信システム及び近距離無線通信装置に特定することを意図するものではなく、特許請求の範囲に含まれるその他の実施形態の近距離無線通信システム及び近距離無線通信装置にも等しく適応し得るものである。
【００１６】
図１は本実施形態の近距離無線通信システムを示す概念図である。近距離無線通信システムは、所定の無線通信プロトコルによって接続可能なマスタ端末とスレーブ端末間で確立される。マスタ端末とは、所定の無線通信プロトコルに対応する端末であって、他の端末に対して接続を開始する端末であり、スレーブ端末とは、マスタ端末と同一の無線通信プロトコルに対応する端末であって、マスタ端末に接続される端末である。本実施形態ではマスタ端末として、携帯無線通信端末（いわゆる、スマートホン）、スレーブ端末として、音響装置を例に説明する。
【００１７】
図１に示す概念図において、家庭内の部屋Ｒ１〜Ｒ４には夫々音響装置Ｓ１〜Ｓ４が設置されており、且つ、スマートホンＰがどの部屋に存在していてもいずれの音響装置Ｓ１〜Ｓ４とも近距離無線通信が可能である（近距離無線通信可能領域内に全ての音響装置Ｓ１〜Ｓ４が存在している）こととする。スマートホンＰのユーザはいずれかの音響装置と近距離無線通信を所望する場合、自身の存在する部屋に設置された音響装置との接続を所望すると考えられ、図１に示すようにユーザが部屋Ｒ１にいる場合には音響装置Ｓ１との近距離無線通信が所望される。本実施形態の近距離無線通信システムはこのような場合に、ユーザに対して複雑な処理を要求することなく、スマートホンＰと音響装置Ｓ１との近距離無線通信を確立するものである。
【００１８】
図２及び図３は近距離無線通信装置の構成を示すブロック図であり、図２は第１の近距離無線通信装置（本実施形態のスレーブ端末であり、音響装置Ｓ１〜Ｓ４に相当）の構成を示すブロック図である。図３は第２の近距離無線通信装置（本実施形態のマスタ端末であり、スマートホンＰに相当）の構成を示すブロック図である。
【００１９】
図２を参照して第１の近距離無線通信装置１００（以下、「装置１００」と略称することもある）は、制御部１１、高周波生成部１２、音声処理部１３、音声出力部１４、ＬＥＤ駆動回路１５、ＬＥＤ群１６、第１の通信部１７、第２の通信部１８及び第３の通信部１９を備える。
【００２０】
制御部１１は装置１００全体を制御する制御手段である。制御部１１は図示しないＣＰＵとＲＯＭとＲＡＭとを含んでいる。ＲＯＭには制御部１１が実行するソフトウェア及びプログラム、ソフトウェア及びプログラムの実行に必要なパラメータやデータが記憶されている。ＣＰＵはＲＯＭに記憶されている各種ソフトウェアおよびプログラムを実行する。ＲＡＭは各種処理の過程で得られるデータや各種処理の結果得られるデータを一時的に格納する。これらＣＰＵ、ＲＯＭ、ＲＡＭ等は、バスを介して接続されている。なお、ＣＰＵ、ＲＯＭ及びＲＡＭはこれらの一部または全部を１チップに集積化しても構わない。
【００２１】
本実施形態において特に、ＲＯＭにはペアリングに関する処理を行うためのソフトウェアが記憶されている。当該ソフトウェアが起動されると、制御部１１はペアリングに関する処理（詳細は後述）を実行する。
【００２２】
高周波生成部１２は制御部１１に制御されて、高周波の音声同期信号を生成する。音声同期信号の周波数は特に限られるものではないが、後述する第２の近距離無線通信装置２００が備える音声入力部２２が認識可能な周波数であって、人の可聴域外（人の可聴域は一般に２０〜２０ｋＨｚ）の周波数であることが望ましい。高周波生成部１２による音声同期信号の生成は制御部１１が実行するペアリングに関する処理の一つである。音声同期信号は後述するＬＥＤ群１６を点灯させるタイミングを規定する信号である。
【００２３】
音声処理部１３は入力されたデジタル音声信号を音声出力部１４で出力可能なフォーマットのアナログ音声信号に変換する。また、音声処理部１３は高周波生成部１２から高周波の音声同期信号が入力されると、当該音声同期信号をアナログ音声信号に変換する。アナログ音声信号に変換された高周波の音声同期信号は、それ単体で、或いは、アナログ音声信号に変換された通常音（音楽やシステム音）に重畳されて音声出力部１４を介して出力される。音声出力部１４はスピーカであり、音声処理１３から出力されたアナログ音声信号が供給されて音声が再生される。
【００２４】
ＬＥＤ駆動回路１５はＬＥＤ群１６を駆動する駆動回路である。制御部１１は周波生成部１２が生成した同期信号に基づくタイミングでＬＥＤ群１６を構成する各ＬＥＤを所定の発光色で点灯させるようにＬＥＤ駆動回路１５に制御信号を出力し、ＬＥＤ駆動回路１５は当該制御信号に基づいてＬＥＤ群１６を駆動する。ＬＥＤ群１６は複数のＬＥＤ１６（ａ）〜１６（ｎ、ｎは自然数）を備える。
【００２５】
ＬＥＤ群１６は装置１００の識別情報（ＭＡＣアドレス等）又はその一部を示すパターンにて駆動される。ＬＥＤ群１６は、識別情報を表示する位置を規定する基準位置を示す２個のＬＥＤと、識別情報の少なくとも一部を示す１個以上のＬＥＤを含み、識別情報の少なくとも一部を示す１個以上のＬＥＤは、基準位置を示す２個のＬＥＤの間に配される。図４は識別情報の示す１個のＬＥＤを含む場合の点灯パターン例を示す図であり、識別情報を示す１個のＬＥＤ（ＬＥＤ１６（ｂ））は、基準位置を示す２個のＬＥＤ（ＬＥＤ１６（ａ）及び１６（ｃ））の間に配される。当該構成においてはＬＥＤ１６（ｂ）の発光色と所定のビットデータ又は所定の数値とが対応付けられる（詳細は後述）。
【００２６】
図５は識別情報の示す４個のＬＥＤを含む場合の点灯パターン例を示す図であり、識別情報を示す４個のＬＥＤ（ＬＥＤ１６（ｂ）〜１６（ｅ））は、基準位置を示す２個のＬＥＤ（ＬＥＤ１６（ａ）及び１６（ｆ））の間に配される。当該構成においても図４と同様に、発光色と所定のビットデータ又は所定の数値が対応付けられる。つまり、図４に比べて４倍の識別情報に関する情報が含まれる。なお、図５に示すように識別情報の示すＬＥＤを複数有する場合には、各ＬＥＤの点灯及び消灯の組み合わせと所定のビットデータ又は所定の数値とを対応付けることとしてもよい。さらに、同一の点灯及び消灯の組み合わせであっても各ＬＥＤの発光色に応じて異なる所定のビットデータ又は所定の数値が対応付けられてもよい。
【００２７】
図４及び図５において基準位置を示す２個のＬＥＤは、基準位置であることを示す発光色（例えば青色）にて点灯される。なお、基準情報（識別情報の表示位置を特定するための基準位置を示す表示）はＬＥＤによる点灯に限られるものではない。例えば、青色の半球状の突起部を２個設け、その間にＬＥＤを配することとしてもよい。
【００２８】
第１の通信部１７は所定の無線通信プロトコル（本実施形態では上述したＢｌｕｅｔｏｏｔｈ）により他の近距離無線通信装置の通信部（本実施形態では後述する第２の近距離無線通信装置２００が備える第１の通信部２７）と近距離無線通信可能な通信手段である。第２の通信部１８は近距離無線通信以外の無線通信方法により無線通信装置（本実施形態では後述する第２の近距離無線通信装置２００が備える第２の通信部２８）と直接的に無線通信可能な通信手段であり、例えばＷｉＦｉネットワークに接続可能な通信手段である。第３の通信部１９は他の無線通信装置（本実施形態では後述する第２の近距離無線通信装置２００が備える第３の通信部２９）と間接的に無線通信可能な通信手段であり、例えばインターネットサーバーに接続可能な通信手段である。なお、本実施形態においては第２の通信部１８及び第３の通信部１９を備えない構成であってもよい。
【００２９】
図３を参照して第２の近距離無線通信装置２００（以下、「装置２００」と略称することもある）は、制御部２１、音声入力部２２、ＢＰＦ２３、同期信号解析部２４、撮像部２５、画像解析部２６、第１の通信部２７、第２の通信部２８及び第３の通信部２９を備える。
【００３０】
制御部２１は装置２００全体を制御する制御手段である。制御部２１は図示しないＣＰＵとＲＯＭとＲＡＭとを含んでいる。ＲＯＭには制御部２１が実行するソフトウェア及びプログラム、ソフトウェア及びプログラムの実行に必要なパラメータやデータが記憶されている。ＣＰＵはＲＯＭに記憶されている各種ソフトウェアおよびプログラムを実行する。ＲＡＭは各種処理の過程で得られるデータや各種処理の結果得られるデータを一時的に格納する。これらＣＰＵ、ＲＯＭ、ＲＡＭ等は、バスを介して接続されている。なお、ＣＰＵ、ＲＯＭ及びＲＡＭはこれらの一部または全部を１チップに集積化しても構わない。
【００３１】
本実施形態において特に、ＲＯＭにはペアリングに関する処理を行うためのソフトウェアが記憶されている。当該ソフトウェアが起動されると、制御部２１はペアリングに関する処理（詳細は後述）を実行する。
【００３２】
音声入力部２２はマイクロフォンであり、装置１００の音声出力部１４から出力された音声（通常音及び同期信号音）が入力される。ＢＰＦ（バンドパスフィルター）２３は音声入力部２２に入力された信号から高帯域の周波数成分のみを通過させる。すなわち、装置１００の高周波生成部１２が生成した高周波の音声同期信号に対応する信号のみを抽出し、同期信号解析部２４に対して出力する。なお、ＢＰＦの代わりにＨＰＦ（ハイパスフィルター）を用いることとしてもよい。
【００３３】
同期信号解析部２４はＢＰＦ２３を通過した信号を解析する。ＢＰＦ２３を通過した音声同期信号は所定の波形等を持つ信号として同期信号解析部２４に入力され、当該音声同期信号に基づいて、撮像部２５を駆動するタイミングを解析する。音声同期信号には例えば、ペアリングに関する処理の開始を示す波形及び撮像部２５を駆動するタイミングを示す波形が含まれ、例えば図６に示すような波形が入力される。図６において、Ｔ１〜Ｔ２にはペアリングに関する処理の開始を示す波形が含まれ、Ｔ３〜Ｔ４には撮像部２５を駆動するタイミングを示す波形が含まれる。
【００３４】
撮像部２５は制御部２１に制御されて、撮影対象（本実施形態において撮影対象は装置１００のＬＥＤ群１６）の画像を撮像する。制御部２１は同期信号解析部２５により解析されたタイミング情報に基づいて撮像部２５の駆動を制御する。制御部２１は撮像部２５を動画撮影モードとして撮像対象の画像を撮像しても、静止画撮影モードとして撮像対象の画像を撮像してもよい。
【００３５】
画像解析部２６は撮像部２５により撮像された画像が入力されて解析される。画像解析部２６に画像が入力されるのは、撮像部２５がペアリングに関する処理として画像を撮像した場合である。その場合、撮像部２５が撮影した画像にはＬＥＤ群１６の点灯パターンが含まれており、当該点灯パターンに基づいて装置１００の識別情報又はその一部を解析する。
【００３６】
第１の通信部２７は所定の無線通信プロトコル（本実施形態では上述したＢｌｕｅｔｏｏｔｈ）により他の近距離無線通信装置の通信部（装置１００が備える第１の通信部１７）と近距離無線通信可能な通信手段である。第２の通信部２８は近距離無線通信以外の無線通信方法により他の無線通信装置の通信部（装置１００が備える第２の通信部１８）と直接的に無線通信可能な通信手段であり、例えばＷｉＦｉネットワークに接続可能な通信手段である。第３の通信部２９は他の無線通信装置（装置１００が備える第３の通信部１９）と間接的に無線通信可能な通信手段であり、例えばインターネットサーバーに接続可能な通信手段である。なお、本実施形態においては第２の通信部２８及び第３の通信部２９を備えない構成であってもよい。
【００３７】
以下、本実施形態の近距離無線通信システムにおけるペアリングの流れを説明する。図７は本実施形態の近距離無線通信システムにおけるペアリングの流れを示すフローチャートである。装置１００の処理は、例えば装置１００が備える所定の釦をユーザが押釦することによって開始される。その場合、当該所定の釦はペアリングに関する処理の開始に対応付けられる。また、装置２００の処理は装置２００にインストールされている所定のアプリケーションを起動することによって開始される。その場合、当該アプリケーションはペアリングに関する処理を実行するためのアプリケーションである。なお、各処理の開始条件はこれらに限られるものではない。例えば、双方の装置がホームネットワークに接続可能である場合に、装置１００は装置２００がホームネットワークに接続したことを検知してペアリングに関する処理を開始することとしてもよい。
【００３８】
ステップＳ０１において制御部１１は高周波生成部１２を制御して高周波の音声同期信号を生成し、音声処理部１３に出力させて、ステップＳ０２に移行する。ステップＳ０２において制御部１１は音声処理部１３を制御し、音声同期信号を音声出力部１４を介して出力させる。
【００３９】
ステップＳ１１において制御部２１は、ステップＳ０２において出力された音声同期信号が音声入力部１４に入力されたか否かを判定する。音声同期信号が音声入力部１４に入力されていれば（ステップＳ１１のＹ）当該音声同期信号をＢＰＦ２３を介して同期信号解析部２４に入力させてステップＳ１２に移行し、音声同期信号が音声入力部１４に入力されていなければ（ステップＳ１１のＮ）ステップＳ１１を繰り返す。なお、音声同期信号が音声入力部１４に入力されていない場合のステップＳ１１の繰り返しは所定回数繰り返した場合に本処理を終了することとしてもよいし、所定期間内に音声同期信号が音声入力部１４に入力されていない場合に本処理を終了することとしてもよい。
【００４０】
ステップＳ１２において制御部２１は同期信号解析部２４を制御して音声同期信号を解析させて、ステップＳ１３に移行する。ステップＳ１３において制御部２１は音声同期信号にペアリングに関する処理の開始を示す情報が含まれるか否かを判定する。本実施形態には音声同期信号にペアリングに関する処理の開始を示す情報（すなわち、所定のタイミングでＬＥＤ群１６を点灯制御することを示す情報）又はペアリングに関する処理の終了を示す情報（すなわち、ＬＥＤ群１６を用いた識別情報の表示処理が完了したことを示す情報）が含まれる。音声同期信号にペアリングに関する処理の開始を示す情報が含まれる場合（ステップＳ１３のＹ）はステップＳ１４に移行し、音声同期信号にペアリングに関する処理の終了を示す情報が含まれる場合（ステップＳ１３のＮ）はステップＳ１６に移行する。
【００４１】
ステップＳ０３において制御部１１は、音声同期信号に基づくタイミング（図６に示すＴ３〜Ｔ４の間）においてＬＥＤ駆動回路１５を制御してＬＥＤ群１６を点灯させてステップＳ０４に移行する。また、ステップＳ１４において制御部２１は音声同期信号に基づくタイミング（図６に示すＴ３〜Ｔ４の間）のいずれかのタイミングで撮像部２５を駆動し、ステップＳ０３において点灯制御されたＬＥＤ群１６の点灯パターン（発光色、点灯、消灯のパターン）を撮像する。制御部１４は撮像部２５により撮像された画像を画像解析部２６に出力させ、ステップＳ１５に移行する。
【００４２】
ステップＳ１５において制御部２１は画像解析部２６を制御して、ステップＳ１４で撮像部２５により撮像された画像を解析させる。具体的には、基準位置であることを示すＬＥＤの間に配された１又は複数のＬＥＤの発光色、点灯状態（点灯又は消灯）を解析する。例えば、図５に示すように基準位置を示す青色に点灯したＬＥＤ１６（ａ）と１６（ｆ）の間に、ＬＥＤ１６（ｂ）〜１６（ｅ）が配される場合において制御部２１は画像解析部２６から夫々順に、赤色の点灯、赤色の点灯、白色の点灯、赤色の点灯であることを示す情報（各状態を示す所定のパターンを有する信号）を取得する。本処理が繰り返されることにより制御部２６は画像解析部２６から取得した信号に基づいて装置１００の識別情報を特定する。
【００４３】
例えば、赤色の点灯には０１ｂのビットデータが、また、白色の点灯には１０ｂのビットデータが対応付けられているとすると、図５のＬＥＤ１６（ｂ）〜１６（ｅ）の点灯パターンを解析することで、「０１０１１００１ｂ」が特定され、すなわち、装置１００の識別情報に「８９」の値が含まれることが特定され、このような値を処理順に並べることで装置１００の識別情報が特定される。発光色と点灯状態に対して対応付けられる他のビットデータとしては、消灯であれば００ｂ、緑色の点灯であれば１１ｂなどが例示される。
【００４４】
ステップＳ０４において制御部１１は装置１００の識別情報を示すＬＥＤ群１６の点灯制御が終了したか否かを判定する。装置１００の識別情報を示すＬＥＤ群１６の点灯制御が終了していれば（ステップＳ０４のＹ）ステップＳ０５に移行し、装置１００の識別情報を示すＬＥＤ群１６の点灯制御が終了していなければ（ステップＳ０４のＮ）ステップＳ０１に戻る。
【００４５】
ステップＳ１６において制御部２１はステップＳ１１〜Ｓ１５の繰り返しにより特定した識別情報に対応する装置（すなわち装置１００）に対して、第１の通信部２７を制御して近距離無線通信接続要求を行い、ステップＳ１７に移行する。ステップＳ０５において制御部１１は第１の通信部１７が近距離無線通信接続要求を受信したか否かを判定し、近距離無線通信接続要求を受信していれば（ステップＳ０５のＹ）ステップＳ０６に移行して接続許可応答を行う。近距離無線通信接続要求を受信していなければ（ステップＳ０５のＮ）近距離無線通信接続要求を受信するまで本ステップを繰り返す。なお、近距離無線通信接続要求が受信されない場合のステップＳ０５の繰り返しは所定回数繰り返した場合に本処理を終了することとしてもよいし、所定期間内に近距離無線通信接続要求を受信しない場合に本処理を終了することとしてもよい。
【００４６】
ステップＳ１７において制御部２１は第１の通信部２７が装置１００から接続許可応答を受信したか否かを判定する。接続許可応答を受信していれば（ステップＳ１７のＹ）ステップＳ１８に移行し、装置１００との近距離無線通信を開始する。接続許可応答を受信していなければ（ステップＳ１７のＮ）接続許可応答を受信するまで本ステップを繰り返す。なお、接続許可応答が受信されない場合のステップＳ１７の繰り返しは所定回数繰り返した場合に本処理を終了することとしてもよいし、所定期間内に接続許可応答を受信しない場合に本処理を終了することとしてもよい。
【００４７】
なお、本フローチャートにおいて制御部２１は音声同期信号にぺアリングに関する処理の終了を示す情報が含まれる場合に処理をステップＳ１６に移行することとしているが、これに限られるものではない。例えば、識別情報の桁数が定まっている場合においては、ステップＳ１１〜Ｓ１５を複数回繰り返すことにより、それらを組み合わせた桁数が、識別情報の桁数に到達した際に、ステップＳ１６に移行することとしてもよい。
【００４８】
本実施形態によれば、第１の近距離無線通信装置が音声同期信号を生成し、当該音声同期信号に基づくタイミングで第１の近距離無線通信装置が自装置の識別情報を示す表示を行い、また、同タイミングで第２の近距離無線通信装置が第１の近距離無線通信装置の識別情報を示す表示を撮像する。そして、第２の近距離無線通信装置は撮像した画像を解析して第１の近距離無線通信装置の識別情報を特定し、近距離無線通信の接続が確立される。この処理の間、ユーザは複雑な操作を行う必要はなく自動的に所望の近距離無線通信装置同士の接続を確立することができる。
【００４９】
＜第２実施形態＞
第１実施形態のステップＳ０６において制御部１１は、近距離無線通信接続要求に対して接続許可応答を行うこととした。当該構成では、装置２００以外の近距離無線通信装置から近距離無線通信接続要求がなされても接続許可応答を行うことになり、装置１００と装置２００との近距離無線通信接続が阻害される可能性がある。そこで本実施形態では近距離無線通信接続要求を行った装置に対する判定処理を行うことで確実に装置１００と装置２００との近距離無線通信接続が確立されるようにする。図８は図７のステップＳ０６における接続許可応答処理の他の例を示す第１のフローチャートである。なお、図８に示す装置２００の制御部２１が実行する処理は図７に示す装置２００の制御部２１が実行する処理と平行して実行される。
【００５０】
本実施形態において装置１００と装置２００は各装置の第２の通信部１８、２８を介してＷｉＦｉネットワークに接続されていることとする。
【００５１】
装置１００の制御部１１は近距離無線通信接続要求を受信した場合（図７のステップＳ０５のＹ）において本フローチャートの処理を開始する。ステップＳ６１１において制御部１１は装置１００の識別情報を第２の通信部１８を介してＷｉＦｉネットワークにブロードキャストし、ステップＳ６１２に移行する。ここで送信される識別情報は、図７のステップＳ０１〜Ｓ０３を繰り返すことによってＬＥＤ群１６を用いて表示した識別情報と同一の識別情報であっても、異なる識別情報（例えば、制御部１１により生成される一時的な識別情報）であってもよい。本ステップにおいて識別情報をブロードキャストするに際しては、ＷｉＦｉネットワークに接続される装置２００以外の装置が当該識別情報を認識してしまうことを防ぐために、当該識別情報を受信した装置が、ペアリングに関する処理を実行していなければその内容を解読することができないように暗号化される。
【００５２】
装置２００の制御部２１は第２の通信部２８を介して暗号化された識別情報を受信した場合に本フローチャートの処理を開始する。ステップＳ６２１において制御部２１は受信した識別情報（暗号化されたもの）に対して復号化処理を施し、ステップＳ６２２に移行する。ステップＳ６２２において制御部２１はステップＳ６２１で復号化した装置１００の識別情報及び装置２００の識別情報を、第２の通信部２８を介してＷｉＦｉネットワークにブロードキャストし、処理を終了する。
【００５３】
ステップＳ６２２において、ステップＳ６２１で復号化した装置１００の識別情報及び装置２００の識別情報をブロードキャストするに際しては、ＷｉＦｉネットワークに接続する装置１００以外の装置が各識別情報を認識してしまうことを防ぐために、当該識別情報を受信した装置が、ペアリングに関する処理を実行していなければその内容を解読することができないように暗号化される。なお、本ステップにおける暗号化の方法は、装置１００が復号化可能な方法であれば、ステップＳ６１１における暗号化と同一の方法であっても異なる方法であってもよい。
【００５４】
ステップＳ６１２において制御部１１は第２の通信部１７がＷｉＦｉネットワークを介して判定情報を受信したか否かを判定する。判定情報とは、近距離無線通信接続要求を送信した他の装置を判定するために必要な情報であり、具体的には、他の装置（本実施形態では装置２００）が送信した情報であって、いずれかの装置の識別情報が暗号化された情報である。判定情報を受信した場合（ステップＳ６１２のＹ）はステップＳ６１３に移行し、判定情報を受信していない場合（ステップＳ６１２のＮ）は本ステップを繰り返す。なお、判定情報を受信しない場合のステップＳ６１２の繰り返しは所定回数繰り返した場合に本処理を終了することとしてもよいし、所定期間内に判定情報を受信しない場合に本処理を終了することとしてもよい。
【００５５】
ステップＳ６１３において制御部１１はステップＳ６１２において第２の通信部１７が受信した判定情報を復号化してステップＳ６１４に移行する。ステップＳ６１４において制御部１１はステップＳ６１１において自身が送信した装置１００の識別情報と、ステップＳ６１４で復号化した判定情報に含まれる装置１００の識別情報とが一致するか否かを判定する。両者が一致すれば（ステップＳ６１４のＹ）、ステップＳ６１５に移行し、両者が一致しなければ（ステップＳ６１４のＮ）、ステップＳ６１７に移行して接続不許可応答を行う（接続許可応答を行わない）。
【００５６】
ステップＳ６１５において制御部１１はステップＳ６１４で復号化した判定情報に含まれる他の装置の識別情報と、近距離無線通信接続要求を送信した他の装置の識別情報（図７のステップＳ０５において特定される）とが一致するか否かを判定する。両者が一致すれば（ステップＳ６１５のＹ）、ステップＳ６１６に移行し、接続許可応答を行い、両者が一致しなければ（ステップＳ６１５のＮ）、ステップＳ６１７に移行して接続不許可応答を行う（接続許可応答を行わない）。
【００５７】
本実施形態によれば、近距離無線通信接続要求を送信した他の装置が、ペアリングに関する処理を実行している他の装置と同一の装置か否かを判定し、同一の装置である場合に、接続許可応答がなされる。従って、ペアリングに関する処理を実行している２個の装置間で確実に近距離無線通信が確立される。
【００５８】
＜第３実施形態＞
第２実施形態においては第２の通信部１８、２８を介した通信により、情報の送受信を行い、近距離無線通信接続要求を送信した他の装置が、ペアリングに関する処理を実行している他の装置と同一の装置か否かを判定したが、第３の通信部１９、２９を用いたインターネットサーバ介した通信により同様の処理を行うこととしてもよい。また、インターネットサーバを介する場合には、当該インターネットサーバにおいて近距離無線通信接続要求を送信した他の装置が、ペアリングに関する処理を実行している他の装置と同一の装置か否かを判定することとしてもよい。
【００５９】
本実施形態はインターネットサーバにおいて近距離無線通信接続要求を送信した他の装置が、ペアリングに関する処理を実行している他の装置と同一の装置か否かを判定する場合について説明する。図９は、図７のステップＳ０６における接続許可応答処理の他の例を示す第２のフローチャートである。なお、図９に示す装置２００の制御部２１が実行する処理は図７に示す装置２００の制御部２１が実行する処理と平行して実行される。
【００６０】
本実施形態において装置１００と装置２００は各装置の第３の通信部１９、２９を介してインターネットサーバ３００に接続されていることとする。
【００６１】
装置１００の制御部１１は近距離無線通信接続要求を受信した場合（図７のステップＳ０５のＹ）において本フローチャートの処理を開始する。ステップＳ６３１において制御部１１は装置１００の識別情報を第３の通信部１９を介してサーバ３００に送信し、ステップＳ６３２に移行する。ここで送信される識別情報は図８のステップＳ６１１で制御部１１が送信する識別情報と同様である。本ステップにおいて識別情報をサーバ３００に送信するに際しては、サーバ３００に接続される装置２００以外の装置が当該識別情報を認識してしまうことを防ぐために、当該識別情報を受信した装置が、ペアリングに関する処理を実行していなければその内容を解読することができないように暗号化される（サーバ３００は解読可能である）。
【００６２】
ステップＳ６３２において制御部１１は図７のステップＳ０５において近距離無線通信接続を要求した装置の識別情報を、ステップＳ６３１において送信した識別情報に関連付けて（関連性を示す情報を付加して）サーバ３００に送信してステップＳ６３３に移行する。近距離無線通信接続を要求した装置の識別情報もステップＳ６３１と同様に暗号化される。
【００６３】
装置２００の制御部２１はサーバ３００を介して暗号化された識別情報を受信した場合に本フローチャートの処理を開始する。ステップＳ６４１において制御部２１は受信した識別情報（暗号化されたもの）に対して復号化処理を施し、ステップＳ６４２に移行する。ステップＳ６４２において制御部２１はステップＳ６４１で復号化した装置１００の識別情報及び装置２００の識別情報を、第３の通信部２９を介してサーバ３００に送信し、処理を終了する。
【００６４】
ステップＳ６４２において、ステップＳ６４１で復号化した装置１００の識別情報及び装置２００の識別情報をサーバ３００に送信するに際しては、サーバ３００に接続する装置１００以外の装置が各識別情報を認識してしまうことを防ぐために、当該識別情報を受信した装置が、ペアリングに関する処理を実行していなければその内容を解読することができないように暗号化される。なお、本ステップにおける暗号化の方法は、装置１００及びサーバ３００が復号化可能な方法であれば、ステップＳ６３１及びＳ６３２における暗号化と同一の方法であっても異なる方法であってもよい。
【００６５】
サーバ３００は暗号化された識別情報を受信した場合に本フローチャートの処理を開始する。ステップＳ６５１においてサーバ３００は装置１００及び装置２００から判定情報を受信したか否かを判定する。判定情報を受信した場合（ステップＳ６５１のＹ）はステップＳ６５２に移行し、判定情報を受信していない場合（ステップＳ６５１のＮ）は本ステップを繰り返す。判定情報とは、近距離無線通信接続要求を送信した他の装置を判定するために必要な情報であり、具体的には、装置１００が送信した装置１００及び近距離無線通信要求装置の識別情報が暗号化された情報、及び、装置２００が送信した情報であって、いずれかの装置の識別情報が暗号化された情報である。なお、判定情報を受信しない場合のステップＳ６５１の繰り返しは所定回数繰り返した場合に本処理を終了することとしてもよいし、所定期間内に判定情報を受信しない場合に本処理を終了することとしてもよい。
【００６６】
ステップＳ６５２においてサーバ３００は取得した判定情報を復号化してステップＳ６５３に移行する。ステップＳ６５３においてサーバ３００は、装置１００が送信した装置１００の識別情報と、装置２００が送信した他の装置の識別情報とが一致するか否かを判定する。両者が一致すれば（ステップＳ６５３のＹ）、ステップＳ６５４に移行し、両者が一致しなければ（ステップＳ６５３のＮ）、ステップＳ６５５に移行して装置１００に対して不一致情報を送信する。
【００６７】
ステップＳ６５４においてサーバ３００は、装置１００が送信した近距離無線通信接続要求を送信した装置の識別情報と、装置２００が送信した装置２００の識別情報とが一致するか否かを判定する。両者が一致すれば（ステップＳ６５４のＹ）、ステップＳ６５６に移行して装置１００に対して一致情報を送信し、両者が一致しなければ（ステップＳ６５４のＮ）、ステップＳ６５５に移行して装置１００に対して不一致情報を送信する。
【００６８】
ステップＳ６３３において制御部１１はサーバ３００から一致情報又は不一致情報のいずれを受信したか否かを判定する。一致情報を受信した場合（ステップＳ６３３のＹ）はステップＳ６３４に移行し、接続許可応答を行い、不一致情報を受信した場合（ステップＳ６３３のＮ）はステップＳ６３５に移行して接続不許可応答を行う（接続許可応答を行わない）。
【００６９】
本実施形態によれば、第２実施形態と同様の効果を奏する。
【００７０】
＜補足＞
装置１００はペアリングに関する処理の実行が指示された場合に、既に他の装置と近距離無線通信接続が確立されている場合には、ＬＥＤ群１６をエラーコードパターンで発光させることとしてもよい。
【００７１】
上記実施形態において装置１００はＬＥＤ群１６を用いて自装置の識別情報を表示することとしたがこれに限られるものではなく、液晶表示画面等に所定の文字列や記号等を表示して自装置の識別情報を表示することとしてもよい。但し、上記実施形態のようにＬＥＤ群１６を用いて自装置の識別情報を表示することで、通常、液晶表示画面を有さない装置であっても液晶表示装置を別途設けることなくＬＥＤを複数個設けることで自装置の識別情報を表示することが可能となる。
【符号の説明】
【００７２】
１１、２１    制御部
１２    高周波生成部
１４    音声出力部
１６    ＬＥＤ群
１７、２７    第１の通信部
１８、２８    第２の通信部
１９、２９    第３の通信部
１００    第１の近距離無線通信装置（音響装置）
２００    第２の近距離無線通信装置（スマートホン）
３００    サーバ
【図１】
2015226248.tif 000003
【図２】
2015226248.tif 000004
【図３】
2015226248.tif 000005
【図４】
2015226248.tif 000006
【図５】
2015226248.tif 000007
【図６】
2015226248.tif 000008
【図７】
2015226248.tif 000009
【図８】
2015226248.tif 000010
【図９】
2015226248.tif 000011